(57)【要約】【課題】  利用者の利便性を向上させることができるカメラ機能付の移動通信端末装置用の補助電池パックを提供する。【解決手段】  本実施形態の補助電池パックでは、上述した従来の場合と同様に、電池収納部５１に収納された電池５９から、給電機構である給電端子を介して、携帯電話１０に給電を行う。また、この補助電池パック５０では、電池収納部５１に収納された電池５９から蓄電部５７を介してストロボ光学系５３に動作電力が供給されている。そして、ストロボ光学系５３は、シャッタスイッチ機構であるスイッチ装置５２のシャッタスイッチによるカメラ撮影の指令に同期して、撮影対象物に照明光を照射する。【選択図】  図１
2005093277.tif 000002
【特許請求の範囲】
【請求項１】
カメラ機能付の移動通信端末装置のための補助電池パックであって、
電池を収納するための電池収納部と；
前記電池収納部に収納された電池から前記移動通信端末装置への給電を行う給電機構と；
前記移動通信端末装置によるカメラ撮影を指令するためのシャッタスイッチを含むシャッタスイッチ機構と；
前記収納部に収納された電池から動作電力が供給され、前記シャッタスイッチによるカメラ撮影の指令に同期して、撮影対象物への照明光を照射するストロボ光学系と；を備える補助電池パック。
【請求項２】
前記シャッタスイッチは、前記移動通信端末装置におけるカメラ撮影用のシャッタスイッチを機械的に連動させることができる位置に配置されている、ことを特徴とする請求項１に記載の補助電池パック。
【請求項３】
前記シャッタスイッチ機構は、前記シャッタスイッチをロックするか否かの設定を行うスイッチロック設定部を備える、ことを特徴とする請求項１又は２に記載の補助電池パック。
【請求項４】
前記シャッタスイッチ機構は、前記シャッタスイッチによるカメラ撮影の指令に同期して前記ストロボ光学系からの照明光の照射を行うか否かの設定を行うストロボ撮影設定部を備える、ことを特徴とする請求項１〜３のいずれか一項に記載の補助電池パック。
【請求項５】
三脚を接続するための三脚接続機構を更に備える、ことを特徴とする請求項１〜４のいずれか一項に記載の補助電池パック。
【発明の詳細な説明】
【技術分野】
【０００１】
本発明は、補助電池パックに係り、より詳しくは、カメラ機能付の移動通信端末装置のための補助電池パックに関するものである。
【背景技術】
【０００２】
従来から、携帯電話等の移動通信端末装置が広く普及している。かかる移動通信端末装置の機能や性能の向上は目覚しく、移動通信端末装置としての必須機能である通話機能やＥメールの送受信機能に加えて、様々の機能を有するものが登場してきている。
【０００３】
こうした携帯電話等の移動通信端末装置では、通常は、その動作電力を内蔵電池から供給するようになっている。この内部電池は、移動通信端末装置を通電状態にしておくと、除々に消耗する。そして、消耗の度合いがある程度の度合いに達すると、移動通信端末装置は、動作の続行ができなくなる。
【０００４】
このため、内蔵電池が消耗しても移動通信端末装置の動作を続行するため、内蔵電池が消耗したときに当該内蔵電池に代って動作電力を供給するための補助電池パックが実用化されている（特許文献１参照）。こうした補助電池パックでは、移動通信端末装置の内蔵電池が消耗したときに、補助電池パックに収納された電池から動作用電力を供給するように、給電用の出力端子が移動通信端末装置における外部からの給電用の入力端子と電気的に接続可能となっている。
【特許文献１】特開平９−２６９８５２号公報
【発明の開示】
【発明が解決しようとする課題】
【０００５】
上述した従来の補助電池パックは、移動通信端末装置自体の動作の継続性を向上させるという点からは優れたものである。しかしながら、移動通信端末装置自体が有していない機能を、補助電池パックを装着した移動通信端末装置に付加するものではなかった。
【０００６】
ところで、近年において登場している様々な機能を有する移動通信端末では、当該機能の充実されるためには好ましいが、移動通信端末装置自体には電池容量の観点から搭載されなかった補助機能がある。補助電池パックを装着した場合には、移動通信端末装置のみの場合と比べて、全体として電池容量に余裕が生じるので、移動通信端末装置自体には電池容量の観点から搭載されなかった補助機能を補助電池パックに搭載させることができるが、こうした補助機能の補助電池パックへの搭載については何等の提案もなされていないのが現状である。
【０００７】
本発明は、上記の事情を鑑みてなされたものであり、利用者の利便性を向上させることができるカメラ機能付の移動通信端末装置用の補助電池パックを提供することを目的とする。
【課題を解決するための手段】
【０００８】
本発明の補助電池パックは、カメラ機能付の移動通信端末装置のための補助電池パックであって、電池を収納するための電池収納部と；前記電池収納部に収納された電池から前記移動通信端末装置への給電を行う給電機構と；前記移動通信端末装置によるカメラ撮影を指令するためのシャッタスイッチを含むシャッタスイッチ機構と；前記収納部に収納された電池から動作電力が供給され、前記シャッタスイッチによるカメラ撮影の指令に同期して、撮影対象物への照明光を照射するストロボ光学系と；を備える補助電池パックである。
【０００９】
この補助電池パックでは、上述した従来の場合と同様に、電池収納部に収納された電池から、給電機構を介して、移動通信端末装置に給電を行う。また、この補助電池パックでは、電池収納部に収納された電池からストロボ光学系に動作電力が供給されている。すなわち、電池収納部に収納された電池からは、移動通信端末装置及びストロボ光学系に給電がなされるようになっている。
【００１０】
そして、ストロボ光学系は、シャッタスイッチ機構のシャッタスイッチによるカメラ撮影の指令に同期して、撮影対象物に照明光を照射する。ここで、ストロボ光学系への給電源は、電池収納部に収納された電池なので、移動通信端末装置の内蔵電池の消耗を早めることなく、照明光学系から十分な光量の照明光を撮影対象物に照射することができる。
【００１１】
すなわち、本発明の補助電池パックを使用することにより、移動通信端末装置の給電バックアップと、移動通信端末装置がカメラ動作するときにおける十分な光量のストロボ照明光の照射とを実現することができる。したがって、本発明の補助電池パックによれば、カメラ機能付の移動通信端末装置の利用者の利便性を向上させることができる。
【００１２】
本発明の補助電池パックでは、シャッタスイッチが、前記移動通信端末装置におけるカメラ撮影用のシャッタスイッチを機械的に連動させることができる位置に配置されている構成とすることができる。この場合には、簡単な構成で、補助電池パックのシャッタスイッチを押下したときに、移動通信端末装置におけるカメラ撮影用のシャッタスイッチを連動し押下することができる。この結果、当該の補助電池パックを装着した場合であっても、移動通信端末装置単独の場合における撮影指令の操作と同様の操作でカメラ撮影を行うことができる。
【００１３】
また、本発明の補助電池パックでは、前記シャッタスイッチ機構が、前記シャッタスイッチをロックするか否かの設定を行うスイッチロック設定部を備える個性とすることができる。この場合には、スイッチロック設定部により、シャッタスイッチのロック設定又はロック解除を適宜設定することにより、不要なカメラ撮影を行ってしまうことを防止することができる。
【００１４】
また、本発明の補助電池パックでは、前記シャッタスイッチ機構が、前記シャッタスイッチによるカメラ撮影の指令に同期して前記ストロボ光学系からの照明光の照射を行うか否かの設定を行うストロボ撮影設定部を備える構成とすることができる。この場合には、ストロボ撮影設定部により、ストロボ光学系から照明光を照射するか否かを適宜設定することにより、ストロボ照明光の照射が必要な場合にのみストロボ光学系からの照明光を撮影対象に照射することができる。
【００１５】
また、本発明の補助電池パックでは、三脚を接続するための三脚接続機構を更に備える構成とすることができる。この場合には、三脚接続機構を介して三脚を接続することにより、三脚を用いたカメラ撮影をすることができる。
【発明の効果】
【００１６】
以上説明したように、本発明の補助電池パックによれば、カメラ機能付の移動通信端末装置の利用者の利便性を向上させることができるという効果を奏する。
【発明を実施するための最良の形態】
【００１７】
以下、本発明の位置実施形態を、図１〜図６を参照しつつ説明する。
【００１８】
図１及び図２には、本発明の一実施形態に係る補助電池パック５０の外観構成が示されている。ここで、図１（Ａ）は補助電池パック５０の左側面図であり、図１（Ｂ）は補助電池パック５０の正面図であり、図１（Ｃ）は補助電池パック５０の右側面図である。また、図２は、補助電池パック５０の背面図である。
【００１９】
補助電池パック５０は、図１及び図２に総合的に示されるように、（ａ）電池５９を内部に収納するための電池収納部５１と、（ｂ）利用者が撮影指令をするためのシャッタボタン６１（図６参照）を有するスイッチ装置５２とを備えている。また、補助電池パック５０は、（ｃ）フラッシュランプを有するストロボ光学系５３と、（ｄ）ストロボ光学系５３からの発光のための充電がなされたことを表示するＬＥＤ（Light Emitting Diode）５４とを備えている。また、補助電池パック５０は、（ｅ）三脚を接続するための三脚接続機構としてのネジ穴５５と、（ｆ）電池５９から携帯電話１０へ給電するための給電端子５６1，５６2とを備えている。
【００２０】
ここで、補助電池パック５０が装着される携帯電話１０について説明する。この携帯電話１０の構成は、図３に示されるようになっている。ここで、図３（Ａ）には携帯電話１０の外観の正面図が示され、図３（Ｂ）には携帯電話１０の外観の右側面図が示され、図３（Ｃ）には携帯電話１０の外観の裏面図が示されている。
【００２１】
図３に示されるように、携帯電話１０は、第１部分１１と、該第１部分１１に対して、軸ＡＸ１を中心軸として回動可能な第２部分１２とを備えている。そして、第２部分は、第１部分１１側に配置された基台部１５と、該該基台部１５に対して、軸ＡＸ２を中心軸として回動可能な表示部１６とを有している。
【００２２】
第１部分１１の図３（Ａ）に示される操作面側には、（ａ）テンキー、ファンクションキー等の操作キーが配列された通信用操作部２１と、（ｂ）通話時に音声を入力するためのマイクロフォン２２とが配置されている。ここで、通信用操作部２１には、通話又はＥメイルの発信時には発信処理開始を指令し、通話着信時には通話処理開始を指令するための発信キーと、通信処理中における短時間の押下により終話を指令し、長時間の押下により電源のオン／オフを指令するための終話／電源キーが含まれているものとする。なお、通話着信から通話開始までの間に終話／電源キーが短時間だけ押下されると、簡易留守録がされるようになっている。
【００２３】
また、第１部分１１の操作面を正面としたときの図３（Ｂ）に示される右側面側には、（ｃ）シャッタボタン２６が配置されている。さらに、第１部分１１の当該操作面の裏面側には、図３（Ｃ）に示されるように、（ｄ）補助的な表示を行うサブディスプレイ３１と、（ｅ）着信音や案内音を発生するための案内用スピーカ３２と、（ｆ）結像光学系の視野内の像を撮像する撮像部３３とが配置されている。なお、図３における第１部分１１の紙面下側の側面には、外部からの給電を受けるための端子が配置されている。
【００２４】
なお、図３における基台部１５と表示部１６との位置関係、すなわち、第１部分１１に対して第２部分１２を折りたたんだ場合に操作面とメインディスプレイ２８の表示面とが対向する位置関係を、以下では「表示部非回転状態」と呼ぶ。また、表示部１６の０度回転状態に対して軸ＡＸ２回りに表示部１６が１８０度回転した状態を、以下では「表示部１６回転状態」と呼ぶ。
【００２５】
以上のように構成されている携帯電話１０では、（ｉ）図３に示されるような、第２部分１２が展開状態であり、かつ、表示部非回転状態である状態、（ii）図４に示されるような、第２部分１２が展開状態であり、かつ、表示部回転状態である状態、（iii）図５に示されるような、第２部分１２が折りたたみ状態であり、かつ、表示部回転状態である機構的な状態において、カメラ撮影が可能となっている。ここで、図３の状態から、表示部１６を、軸ＡＸ２を中心軸として１８０度回転させると図４の状態となる。また、図４の状態から、第２部分を、軸ＡＸ１を中心軸として回転させて第１部分に対して折りたたむと図５の状態となる。
【００２６】
図３の状態でカメラ撮影を行う際には、メインディスプレイ２８の表示面を利用者が見ている状態では利用者側方向とは反対側に撮像部３３の視野方向が向いており、メインディスプレイ２８の表示面をファインダとして、いわゆる相手撮りの撮像が可能な状態となっている。また、図４の状態でカメラ撮影を行う際には、メインディスプレイ２８の表示面を利用者が見ている状態では利用者側方向に撮像部３３の視野方向が向いており、メインディスプレイ２８の表示面をファインダとして、いわゆる自分撮りの撮像が可能な状態となっている。また、図５の状態でカメラ撮影を行う際には、メインディスプレイ２８の表示面を利用者が見ている状態では利用者側方向とは反対方向に撮像部３３の視野方向が向いており、いわゆる相手撮りが可能となっている。
【００２７】
なお、図１においては、補助電池パック５０を図５の状態の携帯電話１０に装着した様子を図示しているが、図２又は図３の状態の携帯電話１０にも補助電池パック５０を装着することができる。
【００２８】
図１に戻り、補助電池パック５０が携帯電話１０に装着されると、補助電池パック５０は、撮像部３３を覆わない状態で携帯電話１０の第１部分１１に係合するとともに、給電端子５６1及び５６2が携帯電話１０における上述した外部からの給電を受けるための端子に接続されるようになっている。また、補助電池パック５０が携帯電話１０に装着されると、補助電池パック５０のスイッチ装置５２が、携帯電話１０のシャッタボタン２６の外側に配置されるようになっている。そして、スイッチ装置５２におけるシャッタボタン６１が押し下げられると、携帯電話１０のシャッタボタン２６が連動して押し下げられるようになっている。
【００２９】
補助電池パック５０では、図６に示されるように、電気的機能を果たす要素として、上述した電池収納部５１、スイッチ装置５２、ストロボ光学系５３、ＬＥＤ５４及び給電端子５６1，５６2に加えて、キャパシタを有する蓄電部５７と、ダイオード５８とを備えている。また、スイッチ装置５２が、（ｉ）上述したシャッタボタン６１と、（ii）シャッタボタン６１の押し下げをロックするか否かを設定するためのロック機構６２と、（iii）蓄電部５７に対して、シャッタボタン６１の押し下げによるストロボ光学系５３への給電指令信号を伝達するか否かを設定するためのスイッチ素子６３とを備えている。
【００３０】
ここで、シャッタボタン６１がスライドされて、図１（Ａ）に示される「ＬＯＣＫ」位置に設定された場合には、シャッタボタン６１の押し下げがロックされるようになっている。また、シャッタボタン６１がスライドされて、図１（Ａ）に示される「ＯＦＦ」位置に設定された場合には、スイッチ素子６３は開いた状態となり、シャッタボタン６１の押し下げによるストロボ光学系５３への給電指令信号は伝達されないようになっている。また、シャッタボタン６１がスライドされて、図１（Ａ）に示される「ＯＮ」位置に設定された場合には、スイッチ素子６３は開いた状態となり、シャッタボタン６１の押し下げによるストロボ光学系５３への給電指令信号は伝達されるようになっている。
【００３１】
図６に戻り、補助電池パック５０では、電池収納部５１に収納され、電池（本実施形態では、直列接続された２つの電池５９）のマイナス側が給電端子５６2に接続されるとともに、プラス側がダイオード５８を介して給電端子５６1に接続されている。これにより、やはりダイオード等の整流素子を介して携帯電話１０の動作電力を供給する携帯電話１０の内部給電源との短絡を防止しつつ、携帯電話１０への給電が行われる。
【００３２】
また、補助電池パック５０では、電池から蓄電部５７に電力が供給されている。蓄電部５７では、電池から供給された電力により電荷を蓄積する。そして、ストロボ光学系５３のフラッシュランプの発光に十分な電荷が蓄積されると、ＬＥＤ５４を点灯させる。また、スイッチ装置５２からストロボ光学系５３への給電指令信号を受けると、ストロボ光学系５３に対して、発光動作用の電荷を供給するようになっている。
【００３３】
以上説明したように、本実施形態の補助電池パックでは、上述した従来の場合と同様に、電池収納部５１に収納された電池５９から、給電機構である給電端子５６1，５６2を介して、携帯電話１０に給電を行う。また、この補助電池パック５０では、電池収納部１１に収納された電池５９から蓄電部５７を介してストロボ光学系５３に動作電力が供給されている。そして、ストロボ光学系５３は、シャッタスイッチ機構であるスイッチ装置５２のシャッタスイッチ６１によるカメラ撮影の指令に同期して、撮影対象物に照明光を照射する。すなわち、本実施形態の補助電池パック５０を使用することにより、携帯電話１０の給電バックアップと、携帯電話１０がカメラ動作するときにおける十分な光量のストロボ照明光の照射とを実現することができる。したがって、カメラ機能付の移動通信端末装置の利用者の利便性を向上させることができる。
【００３４】
また、スイッチ装置５２におけるシャッタボタン６１スイッチが、携帯電話１０におけるカメラ撮影用のシャッタスイッチを機械的に連動させることができる位置に配置されている。この結果、補助電池パック５０のシャッタスイッチ６１を押下したときに、携帯電話１０のシャッタボタン２６を連動し押下することができる。このため、補助電池パック５０を装着した場合であっても、携帯電話１０単独の場合における撮影指令の操作と同様の操作でカメラ撮影を行うことができる。
【００３５】
また、スイッチ装置５２が、シャッタボタン６１をロックするか否かの設定を行うロック機構６２を備えている。このため、シャッタボタン６１のロック設定又はロック解除を適宜設定することにより、不要なカメラ撮影を行ってしまうことを防止することができる。
【００３６】
また、スイッチ装置５２が、シャッタボタン６１によるカメラ撮影の指令に同期してストロボ光学系５３からの照明光の照射を行うか否かの設定を行うスイッチ素子６３を備える構成とすることができる。このため、スイッチ素子６３により、ストロボ光学系５３から照明光を照射するか否かを適宜設定することにより、ストロボ照明光５３の照射が必要な場合にのみストロボ光学系５３からの照明光を撮影対象に照射することができる。
【００３７】
また、本実施形態の補助電池パック５０は、三脚を接続するためのネジ穴５５を更に備えている。このため、ネジ穴を介して三脚を接続することにより、三脚を用いたカメラ撮影をすることができる。
【００３８】
なお、上記の実施形態では、スイッチ装置５２として、「ＬＯＣＫ」、「ＯＦＦ」及び「ＯＮ」の３状態を、シャッタボタン６１をスライドさせることにより設定可能なものを採用した。これに対して、シャッタボタンの位置を固定とし、周囲部材をスライドさせることにより３状態を設定可能なものをスイッチ装置５２に代えて採用することができる。また、図７や図８に示されるような、シャッタボタンを回転させることにより３状態を設定可能なスイッチ装置５２’，５２”をスイッチ装置５２に代えて採用することもできる。
【００３９】
また、上記の実施形態では、補助電池パック５０のシャッタボタン６１が押下されるのに機械的に連動して携帯電話１０のシャッタボタン２６が押下するようにすることで、補助電池パック５０のシャッタボタン６１の押下による撮影指令が携帯電話１０に伝達されるようにした。これに対して、補助電池パック５０のシャッタボタン６１の押下による撮影指令により電気的な撮影指令信号を発生させて、携帯電話１０に伝達するようにしてもよい。また、補助電池パック５０のシャッタボタン６１の押下による撮影指令により光学的な撮影指令信号を発生させて、この撮影指令信号を携帯電話１０に伝達するようにしてもよい。
【００４０】
また、上記の実施形態は、携帯電話１０に装着される補助電池パックについて説明したが、携帯電話１０以外の形態の携帯電話に装着される補助電池パックに本発明を適用することができる。さらに、携帯電話以外の移動通信端末装置に本発明を適用することができるのは勿論である。
【産業上の利用可能性】
【００４１】
以上のように、本発明は、カメラ機能の実装した移動通信端末装置のための補助電池パックに有用である。
【図面の簡単な説明】
【００４２】
【図１】本発明の一実施形態に係る補助電池パックの外観構成を概略的に示す図（その１）である。
【図２】本発明の一実施形態に係る補助電池パックの外観構成を概略的に示す図（その２）である。
【図３】一実施形態に係る補助電池パックが装着される携帯電話の外観構成を概略的に示す図（その１）である。
【図４】一実施形態に係る補助電池パックが装着される携帯電話の外観構成を概略的に示す図（その２）である。
【図５】一実施形態に係る補助電池パックが装着される携帯電話の外観構成を概略的に示す図（その３）である。
【図６】一実施形態に係る補助電池パックの内部構成を説明するためのブロック図である。
【図７】変形例（その１）を説明するための図である。
【図８】変形例（その２）を説明するための図である。
【符号の説明】
【００４３】
１０…携帯電話（移動体端末装置）、１１…第１部分、１２…第２部分、１５…基台部、１６…表示部、２１…通信用操作部、２２…マイクロフォン、２６…シャッタボタン、２８…メインディスプレイ、２９…通話用スピーカ、３１…サブディスプレイ、３２…案内用スピーカ、３３…撮像部、５０…補助電池パック、５１…電池収納部、５２…スイッチ装置（シャッタスイッチ機構）、５３…ストロボ光学系、５４…ＬＥＤ、５５…ネジ穴（三脚接続機構）、５６1，５６2…給電端子（給電機構）、５７…蓄電部、５８…ダイオード、５９…電池、６１…シャッタボタン（シャッタスイッチ）、６２…ロック機構（スイッチロック設定部）、６３…スイッチ素子（ストロボ撮影設定部）、ＡＸ１，ＡＸ２…回転軸。
【図１】
2005093277.tif 000003
【図２】
2005093277.tif 000004
【図３】
2005093277.tif 000005
【図４】
2005093277.tif 000006
【図５】
2005093277.tif 000007
【図６】
2005093277.tif 000008
【図７】
2005093277.tif 000009
【図８】
2005093277.tif 000010